(57)【要約】【課題】集塵容器の気密性を確実に保持することができるとともに、集塵容器の部品点数を削減することができ、集塵容器の生産コストを低減することができる集塵容器、及びそれを備えた電気掃除機の提供。【解決手段】塵埃が流入する流入口を有する集塵容器本体と、集塵容器本体の後部を開閉自在に覆う蓋体と、蓋体の上流側に配置されており、塵埃を捕集するフィルター部と、を備え、蓋体とフィルター部との間には、蓋体とフィルター部との間の気密性を保持するシール部材が設けられており、集塵容器本体は、蓋体が集塵容器本体の後部を閉塞した状態において、シール部材に当接する集塵容器、及びそれを備えた電気掃除機。【選択図】図５
2012130380.tif 000002
【特許請求の範囲】
【請求項１】
塵埃が流入する流入口を有する集塵容器本体と、前記集塵容器本体の後部を開閉自在に覆う蓋体と、前記蓋体の上流側に配置されており、前記塵埃を捕集するフィルター部と、を備え、前記蓋体と前記フィルター部との間には、前記蓋体と前記フィルター部との間の気密性を保持するシール部材が設けられており、前記集塵容器本体は、前記蓋体が前記集塵容器本体の後部を閉塞した状態において、前記シール部材に当接する集塵容器。
【請求項２】
前記フィルター部の前記シール部材と当接する位置には、前記フィルター部から前記シール部材側に向かって延びる当接リブが設けられている請求項１に記載の集塵容器。
【請求項３】
前記蓋体が前記集塵容器本体の後部を閉塞した状態において、前記集塵容器本体と前記蓋体との間には隙間が形成されている請求項１または２に記載の集塵容器。
【請求項４】
前記フィルター部は、粗塵を捕集する一次フィルター部と、前記一次フィルター部の下流側に配置されており、細塵を捕集する二次フィルター部と、から構成されている請求項１〜３のうちの何れか１項に記載の集塵容器。
【請求項５】
前記一次フィルター部の上面は、上流側に向かって下方に傾斜している請求項４に記載の集塵容器。
【請求項６】
前記一次フィルター部には、嵌合凹部が設けられており、前記二次フィルター部の前記嵌合凹部に対応する位置には、前記嵌合凹部と嵌合する嵌合凸部が設けられており、前記一次フィルター部は、前記嵌合凹部と前記嵌合凸部とが嵌合することで前記二次フィルター部に保持される請求項４または５のうちの何れか１項に記載の集塵容器。
【請求項７】
前記一次フィルター部の上面には、筋状突起部が設けられている請求項４〜６のうちの何れか１項に記載の集塵容器。
【請求項８】
前記一次フィルター部は、前記二次フィルター部に回動自在に軸支されている請求項４〜７のうちの何れか１項に記載の集塵容器。
【請求項９】
前記一次フィルター部の上流側の面には、前記一次フィルター部を回動させた際に、前記蓋体と当接するとともに、前記一次フィルター部を回動状態で保持する当接突起部が設けられている請求項８に記載の集塵容器。
【請求項１０】
吸引風を発生させる電動送風機を内蔵する掃除機本体と、請求項１〜９のうちの何れか１項に記載の集塵容器と、を有する電気掃除機。
【発明の詳細な説明】
【技術分野】
【０００１】
本発明は、電気掃除機に関し、特に、電気掃除機に使用される集塵容器に関する。
【背景技術】
【０００２】
従来、電気掃除機の集塵容器においては、集塵容器本体と、集塵容器本体の後部の開口部を覆う蓋体と、を備え、蓋体は、粗塵を捕集するフィルターテクスチャーと、フィルターテクスチャーの下流側に配置されており、細塵を捕集するフィルターを有するダストボックスカバーと、から構成されており、蓋体には、蓋体を閉じた状態において、集塵容器本体とフィルターテクスチャーとの気密性を保持する第１のパッキンと、フィルターテクスチャーとダストボックスカバーとの気密性を保持する第２のパッキンとが設けられた構成が提案されている（例えば、特許文献１参照）。
【０００３】
すなわち、図１４に示すように、従来の電気掃除機の集塵容器１０１は、前部に塵埃が流入する流入口（図示せず）を有し、後部に開口部（図示せず）を有する集塵容器本体１０２と、集塵容器本体１０２の後部の開口部（図示せず）を覆う蓋体１０３と、から構成されている。蓋体１０３は、粗塵を捕集するフィルターテクスチャー１０４と、フィルターテクスチャー１０４の下流側に設けられており、細塵を捕集するフィルター１０５を有するダストボックスカバー１０６と、フィルターテクスチャー１０４の外周に設けられた第１のパッキン１０７と、ダストボックスカバー１０６の後部に設けられた第２のパッキン１０８とから構成されている。そして、集塵容器１０１は、蓋体１０３を閉じた状態において、集塵容器本体１０２がフィルターテクスチャー１０４の外周に設けた第１のパッキン１０７に当接することで、集塵容器本体１０２とフィルターテクスチャー１０４との間の気密性が保持されるとともに、フィルターテクスチャー１０４がダストボックスカバー１０６の後部に設けられた第２のパッキン１０８に当接することで、フィルターテクスチャー１０４とダストボックスカバー１０６との間の気密性が保持され、集塵容器１０１の気密性が保持されるように構成されている。
【先行技術文献】
【特許文献】
【０００４】
【特許文献１】特開２００５−２３７８６０号公報
【発明の概要】
【発明が解決しようとする課題】
【０００５】
しかしながら、上記従来の電気掃除機の集塵容器においては、集塵容器の生産コストを低減するという観点からは未だ改善の余地があった。
【０００６】
すなわち、上記従来の電気掃除機の集塵容器においては、蓋体を閉じた状態において、集塵容器本体が第１のパッキンに当接することで、集塵容器本体とフィルターテクスチャーとの間の気密性が保持されるとともに、フィルターテクスチャーが第２のパッキンに当接することで、フィルターテクスチャーとダストボックスカバーとの間の気密性が保持され、集塵容器の気密性が保持されるように構成されているため、集塵容器の気密性を保持するために第１のパッキンと第２のパッキンとの２つのパッキンが必要であり、集塵容器の部品点数が増加してしまい、集塵容器の生産コストが増加してしまう場合があった。
【０００７】
本発明は上記従来技術の有する課題に鑑みてなされたものであり、集塵容器の気密性を確実に保持することができるとともに、集塵容器の部品点数を削減することができ、集塵容器の生産コストを低減することができる集塵容器及びそれを備えた電気掃除機を提供す
ることを目的とする。
【課題を解決するための手段】
【０００８】
上記従来技術の有する課題を解決するために、本発明は、塵埃が流入する流入口を有する集塵容器本体と、集塵容器本体の後部を開閉自在に覆う蓋体と、蓋体の上流側に配置されており、塵埃を捕集するフィルター部と、を備え、蓋体とフィルター部との間には、蓋体とフィルター部との間の気密性を保持するシール部材が設けられており、集塵容器本体は、蓋体が集塵容器本体の後部を閉塞した状態において、シール部材に当接する集塵容器を提供する。
【０００９】
上述のように、本発明の集塵容器は、蓋体とフィルター部との間に、蓋体とフィルター部との間の気密性を保持するシール部材を配置し、集塵容器本体の後部が蓋体によって閉塞された状態において、集塵容器本体がシール部材に当接するように構成したものである。
【００１０】
その結果、本発明の集塵容器によれば、蓋体とフィルター部との間に配置されたシール部材によって、蓋体とフィルター部との間の気密性、及び、集塵容器本体と蓋体との間の気密性を保持することができるため、蓋体とフィルター部との間に配置されたシール部材のみで集塵容器の気密性を確実に保持することができるとともに、集塵容器の部品点数を削減することができ、集塵容器の生産コストを低減することができる。
【発明の効果】
【００１１】
本発明の集塵容器によれば、集塵容器の気密性を確実に保持することができるとともに、集塵容器の部品点数を削減することができ、集塵容器の生産コストを低減することができるようになる。
【図面の簡単な説明】
【００１２】
【図１】本発明の集塵容器の実施の形態１を備えた電気掃除機の全体斜視図
【図２】本発明の集塵容器の実施の形態１を備えた掃除機本体の全体斜視図
【図３】本発明の集塵容器の実施の形態１を備えた掃除機本体の断面図
【図４】本発明の集塵容器の実施の形態１を示す外観斜視図
【図５】本発明の集塵容器の実施の形態１を示す断面図
【図６】本発明の集塵容器の実施の形態１における電気掃除機の非運転時の要部拡大断面図
【図７】本発明の集塵容器の実施の形態１における電気掃除機の運転時の要部拡大断面図
【図８】本発明の集塵容器の実施の形態２における蓋体及びフィルター部の横断面図
【図９】本発明の集塵容器の実施の形態２における蓋体及びフィルター部の要部拡大断面図
【図１０】本発明の集塵容器の実施の形態２におけるゴミ捨て操作を示す斜視図
【図１１】本発明の集塵容器の実施の形態３におけるフィルター部の掃除時の断面図
【図１２】本発明の集塵容器の実施の形態３におけるフィルター部の掃除時の要部拡大断面図
【図１３】本発明の集塵容器の実施の形態３におけるフィルター部の掃除時の斜視図
【図１４】従来の電気掃除機の集塵容器を示す断面図
【発明を実施するための形態】
【００１３】
第１の発明は、塵埃が流入する流入口を有する集塵容器本体と、集塵容器本体の後部を開閉自在に覆う蓋体と、蓋体の上流側に配置されており、塵埃を捕集するフィルター部と、を備え、蓋体とフィルター部との間には、蓋体とフィルター部との間の気密性を保持す
るシール部材が設けられており、集塵容器本体は、蓋体が集塵容器本体の後部を閉塞した状態において、シール部材に当接する集塵容器としたものである。
【００１４】
これにより、蓋体とフィルター部との間に配置されたシール部材によって、蓋体とフィルター部との間の気密性、及び、集塵容器本体と蓋体との間の気密性を保持することができるため、蓋体とフィルター部との間に配置されたシール部材のみで集塵容器の気密性を確実に保持することができるとともに、集塵容器の部品点数を削減することができ、集塵容器の生産コストを低減することができる。
【００１５】
第２の発明は、特に第１の発明において、フィルター部のシール部材と当接する位置には、フィルター部からシール部材側に向かって延びる当接リブが設けられている構成としたものである。
【００１６】
これにより、フィルター部に設けられた当接リブによって、フィルター部とシール部材との密着性を向上させることができ、フィルター部とシール部材との間から塵埃が漏れることを十分に防止することができるため、集塵容器の気密性を確実に保持することができるとともに、集塵容器の信頼性を向上させることができる。
【００１７】
第３の発明は、特に第１または第２の発明において、蓋体が集塵容器本体の後部を閉塞した状態において、集塵容器本体と蓋体との間には隙間が形成されている構成としたものである。
【００１８】
これにより、集塵容器本体とシール部材との圧接量を増加させ、集塵容器本体とシール部材との密着性を向上させることができ、集塵容器本体と蓋体との間から塵埃が漏れることを十分に防止することができるため、集塵容器本体とシール部材との間の気密性を確実に保持することができるとともに、集塵容器の信頼性を向上させることができる。
【００１９】
第４の発明は、特に第１〜第３の発明において、フィルター部は、粗塵を捕集する一次フィルター部と、前記一次フィルター部の下流側に配置されており、細塵を捕集する二次フィルター部と、から構成されているものである。
【００２０】
これにより、一次フィルター部で粗塵が捕集され、二次フィルター部で細塵が捕集されるため、粗塵によって二次フィルター部が目詰まりすることを十分に防止することができるため、より多くの塵埃を確実に捕集することができ、集塵容器の利便性を向上させることができる。
【００２１】
第５の発明は、特に第４の発明において、一次フィルター部の上面は、上流側に向かって下方に傾斜している構成としたものである。
【００２２】
これにより、使用者が一次フィルター部を掃除した際に、一次フィルター部の上面及び内面に付着した塵埃が落ちやすくなり、集塵容器の利便性を向上させることができる。
【００２３】
第６の発明は、特に第４または第５の発明において、一次フィルター部には、嵌合凹部が設けられており、二次フィルター部の嵌合凹部に対応する位置には、嵌合凹部と嵌合する嵌合凸部が設けられており、一次フィルター部は、嵌合凹部と嵌合凸部とが嵌合することで二次フィルター部に保持される構成としたものである。
【００２４】
これにより、一次フィルター部を二次フィルター部に確実に保持させることができ、集塵容器の利便性を向上させることができる。
【００２５】
第７の発明は、特に第４〜第６の発明において、一次フィルター部の上面には、筋状突起部が設けられている構成としたものである。
【００２６】
これにより、使用者が集塵容器内に蓄積された塵埃を捨てた後、一次フィルター部及び二次フィルター部を掃除する際に、使用者が塵埃の付着した一次フィルター部に触る部分を最小限にとどめることができるため、集塵容器の使用性を向上させることができる。
【００２７】
第８の発明は、特に第４〜第７の発明において、一次フィルター部は、二次フィルター部に回動自在に軸支されている構成としたものである。
【００２８】
これにより、使用者が一次フィルター部を二次フィルター部から容易に取り外すことができるとともに、一次フィルター部及び二次フィルター部を容易に掃除することができるため、集塵容器の使用性を向上させることができる。
【００２９】
第９の発明は、特に第８の発明において、一次フィルター部の上流側の面には、一次フィルター部を回動させた際に、蓋体と当接するとともに、一次フィルター部を回動状態で保持する当接突起部が設けられている構成としたものである。
【００３０】
これにより、一次フィルター部を回動させた状態で保持することができるため、一次フィルター部及び二次フィルター部を容易に掃除することができるため、集塵容器の使用性を向上させることができる。
【００３１】
第１０の発明は、吸引風を発生させる電動送風機を内蔵する掃除機本体と、請求項１〜９のうちの何れか１項に記載の集塵容器と、を有する電気掃除機としたものである。
【００３２】
これにより、集塵容器の気密性を確実に保持することができるとともに、集塵容器の部品点数を削減することができ、集塵容器の生産コストを低減することができるため、電気掃除機の気密性を確実に保持することができるとともに、電気掃除機の生産コストを削減することができる。
【００３３】
以下、図面を参照しながら本発明の集塵容器の好適な実施の形態について詳細に説明する。なお、以下の説明では、同一または相当する部分に同一符号を付し、重複する説明は省略する。
【００３４】
（実施の形態１）
本発明の集塵容器の実施の形態１について、図１〜図７を用いて説明する。
【００３５】
図１は、本発明の集塵容器の実施の形態１を備えた電気掃除機の全体斜視図である。また、図２は、本発明の集塵容器の実施の形態１を備えた掃除機本体の全体斜視図である。さらに、図３は、本発明の集塵容器の実施の形態１を備えた掃除機本体の断面図である。また、図４は、本発明の集塵容器の実施の形態１を示す外観斜視図である。さらに、図５は、本発明の集塵容器の実施の形態１を示す断面図である。また、図６は、本発明の集塵容器の実施の形態１における電気掃除機の非運転時の要部拡大断面図である。さらに、図７は、本発明の集塵容器の実施の形態１における電気掃除機の運転時の要部拡大断面図である。
【００３６】
図１に示すように、電気掃除機１００は、主として、吸引風を発生させる電動送風機１５（図２及び図３参照）を内蔵する掃除機本体１と、被清掃面の塵埃を吸引する吸込具２と、一端が吸込具２に着脱自在に接続される伸縮自在あるいは継ぎ自在の延長管３と、一端が延長管３の他端に接続され、他端が掃除機本体１の前部に設けられた吸引口１ａに着
脱自在に接続されるホース４と、から構成されている。
【００３７】
ホース４の掃除機本体１側の端部には、掃除機本体１の吸引口１ａに着脱自在に接続される接続管５が設けられている。また、ホース４の延長管３側の端部には、電気掃除機１００を使用する際に使用者が保持する把手部（図示せず）を有する手元パイプ７が設けられており、ホース４は、手元パイプ７を介して延長管３と着脱自在に接続されている。
【００３８】
図２及び図３に示すように、掃除機本体１は、主として、掃除機本体１の下面を構成する本体下ケース８と、後述する電動送風機室１６の上面を形成する本体上ケース９と、後述する集塵室２０の上面を覆う本体蓋部１０と、から構成されており、本体蓋部１０は本体上ケース９に回動自在に取り付けられている。また、本体蓋部１０の前部には、本体蓋部１０を開閉操作する取っ手部１０ａが設けられている。
【００３９】
掃除機本体１の後方の両側面には、走行用の車輪１１が配置されている。また、掃除機本体１の下面の前方には、走行用のキャスター（図示せず）が配置されている。この車輪１１及びキャスター（図示せず）は、それぞれ本体下ケース８に回動自在に取り付けられている。
【００４０】
掃除機本体１の後部には、電気掃除機１００を使用する際に、商用電源に接続される電源コード１２を有するコードリール（図示せず）が内蔵されている。また、掃除機本体１の上部には、使用者が掃除機本体１を持ち運ぶ際に保持する本体ハンドル１３が設けられており、本体ハンドル１３は本体上ケース９に固定されている。さらに、本体ハンドル１３には、電源コード１２を巻き取る際に使用者によって操作される巻取りボタン１４が配置されている。
【００４１】
図３に示すように、掃除機本体１の後部には、吸引風を発生させる電動送風機１５を内蔵する電動送風機室１６が設けられており、電動送風機１５の排気風は、電動送風機１５に設けられた排出口１５ａから電動送風機１５の外部、すなわち、電動送風機室１６内へと排出され、掃除機本体１の後部に設けられた排気口１ｂから掃除機本体１の外部へと排気されるように構成されている。また、電動送風機１５の前部及び後部には、それぞれモーターサポートマエ１７及びモーターサポートウシロ１８が設けられており、電動送風機１５は、モーターサポートマエ１７及びモーターサポートウシロ１８が本体下ケース８及び本体上ケース９で保持されることで、電動送風機室１６内に保持固定されている。
【００４２】
掃除機本体１の前部には、電動送風機１５で発生された吸引風によって吸引された塵埃を捕集する集塵容器１９が着脱自在に収納される集塵室２０が配置されている。集塵室２０と電動送風機室１６とは、本体下ケース８に設けられた隔壁１ｃによって分離されている。また、隔壁１ｃには、集塵室２０と電動送風機室１６とを連通する連通口（図示せず）が設けられている。さらに、隔壁１ｃに設けられた通気口（図示せず）の外周には、集塵容器１９の後部と隔壁１ｃとの間をエアタイト（気密性保持）させるパッキン２１が設けられており、このパッキン２１によって、集塵容器１９から排出された吸引風が電動送風機室１６に至るまでの通風路１ｄが集塵室２０とは分離して形成されている。
【００４３】
集塵室２０の上部には、集塵容器１９内の塵埃の廃棄時期を使用者に報知する集塵量表示装置２２が配置されており、この集塵量表示装置２２は、集塵室２０の上面を開閉自在に覆う本体蓋部１０にネジ等で取り付けられている。集塵量表示装置２２は、透明材料で形成されるとともに、一端に集塵室２０と連通する連通口２３ａを有する指針筒本体２３と、指針筒本体２３の他端に設けられた指針弁２４と、を有する指針筒２５と、指針筒本体２３内に配置され、電動送風機１５で発生された負圧と大気圧との差圧で変位する指針２６と、指針筒本体２３内に配置され、指針２６を指針筒２５の大気圧側に付勢する指針
バネ２７と、から構成されている。また、指針弁２４には、パッキン２１によって形成された通風路１ｄと指針筒本体２３の内部とを連通する連通通路２４ａが形成されている。さらに、指針筒本体２３には、使用者が指針２６の動作時に指針２６の動作を視認することができる窓部２８が設けられている。また、本体蓋部１０の窓部２８に対応する位置には、窓穴部２９が設けられており、指針２６の動作時に、使用者が指針２６の動作を視認できるように構成されている。
【００４４】
このような構成において、電動送風機１５の運転が開始され、電動送風機１５によって吸引風が発生されると、集塵量表示装置２２の連通口２３ａ側に大気圧がかかるとともに、集塵量表示装置２２の指針弁２４側に負圧がかかる。そして、集塵量表示装置２２は、集塵容器１９内に堆積した塵埃の量が増大し一定量以上になると、集塵量表示装置２２の指針弁２４側にかかる負圧と集塵量表示装置２２の連通口２３ａ側にかかる大気圧との差圧が指針バネ２７の付勢力より大きくなり、指針２６が指針弁２４側へと移動し、窓部２８の下方で停止することで、使用者に集塵容器１９内の塵埃の排気時期を報知するように構成されている。
【００４５】
図４及び図５に示すように、集塵容器１９は、前部に掃除機本体１の吸引口１ａと連通し塵埃が流入する流入口３０ａを有するとともに、後部に開口部３０ｂ（図１０参照）を有する集塵容器本体３０と、集塵容器本体３０の後部に設けられた開口部３０ｂを開閉自在に覆う蓋体３１と、蓋体３１の上流側、すなわち、蓋体３１の集塵容器本体３０側に配置され、塵埃を捕集するフィルター部３２と、から構成されており、フィルター部３２は、蓋体３１にネジ等で取り付けられている。また、蓋体３１は、集塵容器本体３０の下面の後部に設けられた第１の軸受け部３３に、蓋体３１の下面に設けられた第１の軸部３４を軸支することで、集塵容器本体３０に回動自在に取り付けられる。
【００４６】
フィルター部３２は、粗塵を捕集する一次フィルター部３５と、一次フィルター部３５の下流側、すなわち、一次フィルター部３５の蓋体３１側に配置され、細塵を捕集する二次フィルター部３６と、から構成されており、一次フィルター部３５は二次フィルター部３６の外周を覆うように配置されている。一次フィルター部３５は、粗塵を捕集するメッシュ状もしくは多孔質状に形成された一次フィルター３７（図８及び図１０参照）と、一次フィルター３７を保持する一次フィルター枠体３８と、から構成されている。また、二次フィルター部３６は、細塵を捕集するプリーツ加工された二次フィルター３９と、二次フィルター３９を保持する二次フィルター枠体４０と、から構成されている。
【００４７】
図５〜図７に示すように、蓋体３１とフィルター部３２との間、すなわち、蓋体３１と二次フィルター部３６の二次フィルター枠体４０との間には、蓋体３１とフィルター部３２との間の気密性を保持する棒状の軟質材で形成されたシール部材４１が配置されている。また、二次フィルター部３６の二次フィルター枠体４０のシール部材４１と当接する位置には、二次フィルター枠体４０からシール部材４１側に向かって延びる当接リブ４２が設けられている。さらに、集塵容器本体３０の蓋体３１側には、蓋体３１によって集塵容器本体３０の後部に設けられた開口部３０ｂが閉塞された状態において、シール部材４１に当接するタイトリブ４３が集塵容器本体３０から蓋体３１側に向かって延設されている。また、図５に示すように、蓋体３１が集塵容器本体３０の後部に設けられた開口部３０ｂを閉塞した状態で、かつ、電気掃除機１００の非運転状態において、集塵容器本体３０と蓋体３１との間には、隙間Ｔが形成されるように構成されている。
【００４８】
また、図４に示すように、集塵容器本体３０の側面には、一端に使用者が一次フィルター部３５及び二次フィルター部３６に付着した塵埃を掃除する際に保持する保持部（図示せず）を有し、他端に一次フィルター部３５及び二次フィルター部３６に付着した塵埃を除去するブラシ体（図示せず）を有する掃除用ブラシ４４が、集塵容器本体３０に着脱自
在に取り付けられている。
【００４９】
以上のように構成された集塵容器について、以下、その動作、作用を説明する。
【００５０】
図１及び図２に示すように、使用者により電気掃除機１００の運転が開始されると、電動送風機１５によって吸引風が発生され、被清掃面の塵埃が、吸込具２、延長管３、ホース４、及び吸引口１ａを介して掃除機本体１内へと流入する。掃除機本体１内に流入した塵埃は、集塵容器１９の流入口３０ａから集塵容器１９の内部へと流入し、一次フィルター部３５によって粗塵が捕集されるとともに、二次フィルター部３６によって細塵が捕集され、空気のみが集塵容器１９の後部に設けられた通風路１ｄを介して電動送風機１５内へと流入する。電動送風機１５内へと流入した空気は、電動送風機１５の排出口１５ａから電動送風機室１６内へと排出されるとともに、掃除機本体１の後部に設けられた排気口１ｂから掃除機本体１の外部へと排出される。
【００５１】
ここで、掃除機本体１に集塵容器１９が取り付けられた状態で電動送風機１５によって吸引風が発生されると、電動送風機１５で発生された吸引風によって集塵容器１９の内部が負圧となるため、集塵容器本体３０と蓋体３１との隙間、及び、蓋体３１とフィルター部３２との隙間から集塵容器１９の内部へと外気が吸引される。集塵容器本体３０と蓋体３１との隙間、及び、蓋体３１とフィルター部３２との隙間から集塵容器１９の内部へと外気が流入してしまうと、電動送風機１５の吸引風による吸引力が低下してしまい、被清掃面の塵埃を効率よく吸引できなくなる場合がある。しかしながら、本実施の形態においては、蓋体３１とフィルター部３２との間に設けられたシール部材４１にフィルター部３２及び集塵容器本体３０が当接しているため、集塵容器本体３０と蓋体３１との間、及び、蓋体３１とフィルター部３２との間から集塵容器１９の内部へと外気が流入することを確実に防止することができ、集塵容器本体３０と蓋体３１との間、及び、蓋体３１とフィルター部３２との間の気密性を確実に保持することができる。
【００５２】
また、掃除機本体１に集塵容器１９が取り付けられた状態で電動送風機１５によって吸引風が発生されると、電動送風機１５で発生された吸引風によって集塵容器１９の内部が負圧となり、集塵容器本体３０が蓋体３１側へと移動するため、集塵容器本体３０に設けられたタイトリブ４３がシール部材４１側へと移動し、タイトリブ４３とシール部材４１と圧接される（図６中、矢印Ａ参照）。これにより、電気掃除機１００の運転状態における集塵容器本体３０のタイトリブ４３とシール部材４１との圧接量は、電気掃除機１００の非運転状態における集塵容器本体３０のタイトリブ４３とシール部材４１との圧接量よりも大きくなるため、電気掃除機１００の運転状態において、集塵容器本体３０とシール部材４１との密着性を向上させることができる。そのため、集塵容器本体３０と蓋体３１との間から塵埃が漏れることを十分に防止することができるとともに、集塵容器本体３０とシール部材４１との間の気密性を確実に保持することができ、集塵容器１９の信頼性を向上させることができる。
【００５３】
以上のように、本実施の形態においては、蓋体３１とフィルター部３２との間に配置されたシール部材４１によって、蓋体３１とフィルター部３２との間の気密性、及び、集塵容器本体３０と蓋体との間の気密性を保持することができるため、蓋体３１とフィルター部３２との間に配置されたシール部材４１のみで集塵容器１９の気密性を確実に保持することができるとともに、集塵容器１９の部品点数を削減することができ、集塵容器１９の生産コストを低減することができる。
【００５４】
また、本実施の形態においては、フィルター部３２のシール部材４１と当接する位置に、フィルター部３２からシール部材４１側に向かって延びる当接リブ４２を設けているため、フィルター部３２に当接リブ４２を設けていない場合に比べ、フィルター部３２とシ
ール部材４１との圧接量を大きくすることができる。そのため、フィルター部３２とシール部材４１との密着性を向上させることができ、フィルター部３２とシール部材４１との間から塵埃が漏れることを十分に防止することができるため、集塵容器１９の気密性を確実に保持することができるとともに、集塵容器１９の信頼性を向上させることができる。
【００５５】
さらに、本実施の形態においては、フィルター部３２は、粗塵を捕集する一次フィルター部３５と、一次フィルター部３５の下流側に配置され、細塵を捕集する二次フィルター部３６と、から構成されているため、粗塵によって二次フィルター部３６が目詰まりすることを十分に防止することができるとともに、より多くの塵埃を確実に捕集することができ、集塵容器１９の利便性を向上させることができる。
【００５６】
（実施の形態２）
本発明の集塵容器の実施の形態２について、図８〜図１０を用いて説明する。なお、上述した実施の形態１と同一部分については同一符号を付し、その説明を省略する。
【００５７】
図８は、本発明の集塵容器の実施の形態２における蓋体及びフィルター部の横断面図である。また、図９は、本発明の集塵容器の実施の形態２における蓋体及びフィルター部の要部拡大断面図である。さらに、図１０は、本発明の集塵容器の実施の形態２におけるゴミ捨て操作を示す斜視図である。
【００５８】
図８に示すように、蓋体３１の上流側に配置されているフィルター部３２は、粗塵を捕集する一次フィルター部３５と、一次フィルター部３５の下流側、すなわち、一次フィルター部３５の蓋体３１側に配置され、細塵を捕集する二次フィルター部３６と、から構成されており、一次フィルター部３５は二次フィルター部３６の外周を覆うように配置されている。
【００５９】
一次フィルター部３５は、粗塵を捕集するメッシュ状もしくは多孔質状に形成された一次フィルター３７と、一次フィルター３７を保持する一次フィルター枠体３８と、から構成されている。また、二次フィルター部３６は、細塵を捕集するプリーツ加工された二次フィルター３９と、二次フィルター３９を保持する二次フィルター枠体４０と、から構成されている。
【００６０】
図８及び図９に示すように、一次フィルター枠体３８の内側には、嵌合凹部４５が設けられている。また、二次フィルター枠体４０の嵌合凹部４５に対応する位置には、一次フィルター部３５が二次フィルター部３６に取り付けられた際に、嵌合凹部４５と嵌合する嵌合凸部４６が設けられている。そして、一次フィルター部３５は、嵌合凹部４５と嵌合凸部４６とが嵌合されることで二次フィルター部３６に保持されるように構成されている。
【００６１】
以上のように構成された集塵容器について、以下、その動作、作用を説明する。
【００６２】
使用者により電気掃除機１００の運転が開始されると、電動送風機１５によって吸引風が発生され、被清掃面の塵埃が、吸込具２、延長管３、ホース４、及び吸引口１ａを介して掃除機本体１内へと流入する。掃除機本体１内に流入した塵埃は、集塵容器１９の流入口３０ａから集塵容器１９の内部へと流入し、一次フィルター部３５によって粗塵が捕集されるとともに、二次フィルター部３６によって細塵が捕集され、空気のみが集塵容器１９の後部に設けられた通風路１ｄを介して電動送風機１５内へと流入する。電動送風機１５内へと流入した空気は、電動送風機１５の排出口１５ａから電動送風機室１６内へと排出されるとともに、掃除機本体１の後部に設けられた排気口１ｂから掃除機本体１の外部へと排出される。
【００６３】
使用者により掃除が継続され、集塵容器１９内に堆積した塵埃の量が増加し、一定量以上になると、本体蓋部１０に設けられた集塵量表示装置２２の指針弁２４側にかかる負圧と集塵量表示装置２２の連通口２３ａ側にかかる大気圧との差圧が指針バネ２７の付勢力より大きくなり、指針２６が指針弁２４側へと移動するとともに、窓部２８の下方で停止し、使用者に集塵容器１９内の塵埃の排気時期を報知する。使用者は、本体蓋部１０の窓穴部２９から集塵量表示装置２２の窓部２８を目視し、窓部２８から指針２６が目視できる場合には、集塵容器１９内の塵埃の廃棄時期であると判断し、集塵容器１９内の塵埃を廃棄する。集塵量表示装置２２により集塵容器１９内の塵埃の廃棄時期が使用者に報知されると、使用者は集塵容器１９を掃除機本体１から取り外し、集塵容器１９内に蓄積された塵埃を廃棄する。
【００６４】
図１０に示すように、使用者が集塵容器１９内に堆積した塵埃を廃棄する場合、使用者は、集塵容器１９に回動自在に設けられた蓋体３１を回動させ、集塵容器本体３０の後部に設けられた開口部３０ｂを開放するとともに、開口部３０ｂが下方を向くように集塵容器１９を保持し、集塵容器１９内に堆積した塵埃を開口部３０ｂから集塵容器１９の外部へと排出する。このとき、使用者により集塵容器本体３０の開口部３０ｂが下方を向くように集塵容器１９が保持されることで、一次フィルター部３５及び二次フィルター部３６の上流側も下方を向くように保持されることになる。そのため、一次フィルター部３５が二次フィルター部３６に保持されていない場合、一次フィルター部３５が自重により二次フィルター部３６から外れる場合があった。
【００６５】
そこで、本実施の形態においては、一次フィルター枠体３８に設けた嵌合凹部４５を二次フィルター枠体４０に設けられた嵌合凸部４６に嵌合させることで、一次フィルター部３５を二次フィルター部３６にて保持させるように構成している。これにより、ゴミ捨て時に、使用者により集塵容器本体３０の開口部３０ｂが下方を向くように集塵容器１９が保持され、一次フィルター部３５及び二次フィルター部３６の上流側が下方を向くように保持された場合であっても、一次フィルター部３５を二次フィルター部３６に確実に保持させることができ、集塵容器１９の使い勝手を向上させることができる。
【００６６】
なお、本実施の形態においては、一次フィルター枠体３８に嵌合凹部４５を設け、二次フィルター枠体４０に嵌合凸部４６に設けた構成について説明したが、一次フィルター部３５を二次フィルター部３６に保持することができればよく、一次フィルター枠体３８に嵌合凸部４６を設け、二次フィルター枠体４０に嵌合凹部４５を設けてもよい。
【００６７】
（実施の形態３）
本発明の集塵容器の実施の形態３について、図１１〜図１３を用いて説明する。なお、上述した実施の形態１及び実施の形態２と同一部分については同一符号を付し、その説明を省略する。
【００６８】
図１１は、本発明の集塵容器の実施の形態３におけるフィルター部の掃除時の断面図である。また、図１２は、本発明の集塵容器の実施の形態３におけるフィルター部の掃除時の要部拡大断面図である。さらに、図１３は、本発明の集塵容器の実施の形態３におけるフィルター部の掃除時の斜視図である。
【００６９】
図１１に示すように、集塵容器１９は、前部に掃除機本体１の吸引口１ａと連通し塵埃が流入する流入口３０ａを有するとともに、後部に開口部３０ｂ（図１０参照）を有する集塵容器本体３０と、集塵容器本体３０の後部に設けられた開口部３０ｂを開閉自在に覆う蓋体３１と、蓋体３１の上流側、すなわち、蓋体３１の集塵容器本体３０側に配置され、塵埃を捕集するフィルター部３２と、から構成されており、フィルター部３２は、蓋体
３１にネジ等で取り付けられている。また、蓋体３１は、集塵容器本体３０の下面の後部に設けられた第１の軸受け部３３に、蓋体３１の下面に設けられた第１の軸部３４を軸支することで、集塵容器本体３０に回動自在に取り付けられる。
【００７０】
フィルター部３２は、粗塵を捕集する一次フィルター部３５と、一次フィルター部３５の下流側、すなわち、一次フィルター部３５の蓋体３１側に配置され、細塵を捕集する二次フィルター部３６と、から構成されており、一次フィルター部３５は二次フィルター部３６の外周を覆うように配置されている。一次フィルター部３５は、粗塵を捕集するメッシュ状もしくは多孔質状に形成された一次フィルター３７（図８及び図１０参照）と、一次フィルター３７を保持する一次フィルター枠体３８と、から構成されている。また、二次フィルター部３６は、細塵を捕集するプリーツ加工された二次フィルター３９と、二次フィルター３９を保持する二次フィルター枠体４０と、から構成されている。
【００７１】
図１１及び図１２に示すように、一次フィルター枠体３８は、二次フィルター枠体４０に設けられた第２の軸受け部４７に、一次フィルター枠体３８に設けられた第２の軸支部４８を軸支することで、二次フィルター部３６に回動自在に取り付けられる。また、一次フィルター部３５の上流側の面、すなわち、一次フィルター部３５の集塵容器１９側の面には、蓋体３１を開放した状態で、一次フィルター部３５を集塵容器本体３０側（図１２中、矢印Ｂ方向）に回動させた際に、蓋体３１の端部と当接する当接突起部４９が設けられている。さらに、一次フィルター部３５の上面は、上流側に向かって下方に傾斜するように形成されるとともに、上面に筋状突起部５０が設けられている。
【００７２】
以上のように構成された集塵容器について、以下、その動作、作用を説明する。
【００７３】
使用者により電気掃除機１００の運転が開始されると、電動送風機１５によって吸引風が発生され、被清掃面の塵埃が、吸込具２、延長管３、ホース４、及び吸引口１ａを介して掃除機本体１内へと流入する。掃除機本体１内に流入した塵埃は、集塵容器１９の流入口３０ａから集塵容器１９の内部へと流入し、一次フィルター部３５によって粗塵が捕集されるとともに、二次フィルター部３６によって細塵が捕集され、空気のみが集塵容器１９の後部に設けられた通風路１ｄを介して電動送風機１５内へと流入する。電動送風機１５内へと流入した空気は、電動送風機１５の排出口１５ａから電動送風機室１６内へと排出されるとともに、掃除機本体１の後部に設けられた排気口１ｂから掃除機本体１の外部へと排出される。
【００７４】
使用者により掃除が継続され、集塵容器１９内に堆積した塵埃の量が増加し、一定量以上になると、本体蓋部１０に設けられた集塵量表示装置２２の指針弁２４側にかかる負圧と集塵量表示装置２２の連通口２３ａ側にかかる大気圧との差圧が指針バネ２７の付勢力より大きくなり、指針２６が指針弁２４側へと移動するとともに、窓部２８の下方で停止し、使用者に集塵容器１９内の塵埃の排気時期を報知する。使用者は、本体蓋部１０の窓穴部２９から集塵量表示装置２２の窓部２８を目視し、窓部２８から指針２６が目視できる場合には、集塵容器１９内の塵埃の廃棄時期であると判断し、集塵容器１９内の塵埃を廃棄する。集塵量表示装置２２により集塵容器１９内の塵埃の廃棄時期が使用者に報知されると、使用者は集塵容器１９を掃除機本体１から取り外し、集塵容器１９内に蓄積された塵埃を廃棄する。
【００７５】
使用者が集塵容器１９内の塵埃を廃棄する場合、使用者は、集塵容器１９に回動自在に取り付けられた蓋体３１を回動させ、集塵容器本体３０の後部に設けられた開口部３０ｂを開放するとともに、開口部３０ｂが下方を向くように集塵容器１９を保持し、集塵容器１９内の塵埃を開口部３０ｂから集塵容器１９の外部へと排出する。このとき、一次フィルター枠体３８に設けた嵌合凹部４５と二次フィルター枠体４０に設けられた嵌合凸部４
６とが嵌合しているため、一次フィルター部３５は、蓋体３１とともに回動し、集塵容器１９の後部に設けられた開口部３０ｂを開放する。
【００７６】
図１３に示すように、集塵容器１９内の塵埃を廃棄した後、使用者が一次フィルター３７及び二次フィルター３９を掃除する場合、使用者は、集塵容器本体３０の側面に配置された掃除用ブラシ４４を使用して一次フィルター３７及び二次フィルター３９に付着した塵埃を掃除する。使用者が、二次フィルター３９に付着した塵埃を掃除する場合、使用者は、塵埃の付着した一次フィルター部３５を回動させ、二次フィルター部３６を掃除する必要がある。本実施の形態においては、一次フィルター部３５の上面に筋状突起部５０を設けているため、使用者が塵埃の付着した一次フィルター部３５に触れる面積を小さくすることができ、集塵容器１９の使い勝手を向上させることができる。
【００７７】
また、使用者が二次フィルター部３６を掃除するために一次フィルター部３５を集塵容器本体３０側（図１２中、矢印Ｂ方向）に回動させた際、一次フィルター部３５は、一次フィルター部３５の集塵容器１９側の面に設けられた当接突起部４９が蓋体３１の端部と当接することで蓋体３１に回動状態で保持されるため、使用者が一次フィルター部３５及び二次フィルター部３６を容易に掃除することができ、集塵容器１９の使い勝手を向上させることができる。
【００７８】
さらに、本実施の形態においては、一次フィルター部３５の上面が上流側に向かって下方に傾斜する構成としているため、使用者が一次フィルター部３５を掃除した際に、一次フィルター部３５の上面及び内面に付着した塵埃が落ちやすくなり、一次フィルター部３５を容易に掃除することができ、集塵容器１９の使い勝手を向上させることができる。
【産業上の利用可能性】
【００７９】
本発明の集塵容器によれば、集塵容器の気密性を確実に保持することができるとともに、集塵容器の部品点数を削減することができ、集塵容器の生産コストを低減することができるようになるので、家庭用電気掃除機及び産業用電気掃除機の分野・用途に好適に適用することができる。
【符号の説明】
【００８０】
１  掃除機本体
１ａ  吸引口
１ｂ  排気口
１ｃ  隔壁
１ｄ  通風路
２  吸込具
３  延長管
４  ホース
５  接続管
７  手元パイプ
８  本体下ケース
９  本体上ケース
１０  本体蓋部
１０ａ  取っ手部
１１  車輪
１２  電源コード
１３  本体ハンドル
１４  巻取りボタン
１５  電動送風機
１５ａ  排出口
１６  電動送風機室
１７  モーターサポートマエ
１８  モーターサポートウシロ
１９  集塵容器
２０  集塵室
２１  パッキン
２２  集塵量表示装置
２３  指針筒本体
２３ａ  連通口
２４  指針弁
２４ａ  連通通路
２５  指針筒
２６  指針
２７  指針バネ
２８  窓部
２９  窓穴部
３０  集塵容器本体
３０ａ  流入口
３０ｂ  開口部
３１  蓋体
３２  フィルター部
３３  第１の軸受け部
３４  第１の軸部
３５  一次フィルター部
３６  二次フィルター部
３７  一次フィルター
３８  一次フィルター枠体
３９  二次フィルター
４０  二次フィルター枠体
４１  シール部材
４２  当接リブ
４３  タイトリブ
４４  掃除用ブラシ
４５  嵌合凹部
４６  嵌合凸部
４７  第２の軸受け部
４８  第２の軸支部
４９  当接突起部
５０  筋状突起部
１００  電気掃除機
【図１】
2012130380.tif 000003
【図２】
2012130380.tif 000004
【図３】
2012130380.tif 000005
【図４】
2012130380.tif 000006
【図５】
2012130380.tif 000007
【図６】
2012130380.tif 000008
【図７】
2012130380.tif 000009
【図８】
2012130380.tif 000010
【図９】
2012130380.tif 000011
【図１０】
2012130380.tif 000012
【図１１】
2012130380.tif 000013
【図１２】
2012130380.tif 000014
【図１３】
2012130380.tif 000015
【図１４】
2012130380.tif 000016